(57)【要約】  データリンクレイヤのための機能は、アクセスポイントとアクセスコントローラとの間で分割される。データリンクレイヤのためにアップリンク及びダウンリンクに対して遂行される機能は、トランスポートチャンネルと無線ベアラとの間で情報を変換するためにデータリンクレイヤによって実行される機能の全部ではなく、その幾つかである。【選択図】      図６
2014515584.tif 000002
【特許請求の範囲】
【請求項１】
アクセスコントローラに結合されたインターフェイスと、
１つ以上のプロセッサと、
コンピュータプログラムコードを含む１つ以上のメモリと、
を備えた装置において、前記１つ以上のメモリ及びコンピュータプログラムコードは、前記１つ以上のプロセッサとで、前記装置に、少なくとも次のことを実行させるように構成され、即ち、
ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換し、その変換は、少なくとも物理的レイヤに対する動作を実行することを含み、及び
アップリンクでは、トランスポートチャンネルの情報に基づいてデータリンクレイヤのための機能を実行して、パケット信号を決定し、そのパケット信号を、インターフェイスを経てアクセスコントローラへ送信し、そしてダウンリンクでは、インターフェイスを経て受信したパケット信号に基づいてデータリンクレイヤのための機能を実行して、トランスポートチャンネルの情報を生成し、ダウンリンクにおける機能は、ダウンリンクパケットスケジューリング機能及びダウンリンクメディアアクセスコントロール機能を含み、そしてアップリンクにおける機能は、アップリンクパケットスケジューリング機能を含み、アップリンク及びダウンリンクに対して実行される機能は、トランスポートチャンネルと無線ベアラとの間で情報を変換するためにデータリンクレイヤによって実行される機能の全部ではなく、その幾つかである、装置。
【請求項２】
前記ダウンリンクパケットスケジューリング機能は、インターフェイスを経て１つ以上のダウンリンクスケジューリングポリシーを受け取るリアルタイムダウンリンクパケットスケジューリング機能を含み、そして前記アップリンクパケットスケジューリング機能は、インターフェイスを経て１つ以上のアップリンクスケジューリングポリシーを受け取るリアルタイムアップリンクパケットスケジューリング機能を含む、請求項１に記載の装置。
【請求項３】
前記アップリンクにおける機能は、更に、メディアアクセスコントロール機能を含む、請求項１又は２に記載の装置。
【請求項４】
前記ダウンリンクにおける機能は、更に、無線リンクコントロール機能及びプリスケジューラ機能を含み、そして前記アップリンクにおける機能は、更に、プリスケジューラ機能を含む、請求項１、２又は３に記載の装置。
【請求項５】
前記アップリンクにおける機能は、更に、メディアアクセスコントロール機能及び無線リンクコントロール機能を含む、請求項４に記載の装置。
【請求項６】
前記インターフェイスは、前記アクセスコントローラに結合された銅リンクに結合されたワイヤードインターフェイス、前記アクセスコントローラへのワイヤレスリンクを与えるワイヤレスインターフェイス、又は前記アクセスコントローラに結合された光学リンクを与える光学的インターフェイスの１つを含む、請求項１、２、３、４又は５に記載の装置。
【請求項７】
前記インターフェイスは、Ｅｔｈｅｒｎｅｔインターフェイスを含む、請求項６に記載の装置。
【請求項８】
ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換し、その変換は、少なくとも物理的レイヤに対する動作を実行することを含み、及び
アップリンクでは、トランスポートチャンネルの情報に基づきデータリンクレイヤのための機能を実行して、パケット信号を決定し、そのパケット信号を、インターフェイスを経てアクセスコントローラへ送信し、そしてダウンリンクでは、インターフェイスを経て受信したパケット信号に基づいてデータリンクレイヤのための機能を実行して、トランスポートチャンネルの情報を生成し、ダウンリンクにおける機能は、ダウンリンクパケットスケジューリング機能及びダウンリンクメディアアクセスコントロール機能を含み、そしてアップリンクにおける機能は、アップリンクパケットスケジューリング機能を含み、更に、アップリンク及びダウンリンクに対して実行される機能は、トランスポートチャンネルと無線ベアラとの間で情報を変換するためにデータリンクレイヤにより実行される機能の全部ではなく、その幾つかである、方法。
【請求項９】
前記ダウンリンクパケットスケジューリング機能は、インターフェイスを経て１つ以上のダウンリンクスケジューリングポリシーを受け取るリアルタイムダウンリンクパケットスケジューリング機能を含み、そして前記アップリンクパケットスケジューリング機能は、インターフェイスを経て１つ以上のアップリンクスケジューリングポリシーを受け取るリアルタイムアップリンクパケットスケジューリング機能を含む、請求項８に記載の方法。
【請求項１０】
前記アップリンクにおける機能は、更に、メディアアクセスコントロール機能を含む、請求項８又は９に記載の方法。
【請求項１１】
前記ダウンリンクにおける機能は、更に、無線リンクコントロール機能及びプリスケジューラ機能を含み、そして前記アップリンクにおける機能は、更に、プリスケジューラ機能を含む、請求項８、９又は１０に記載の方法。
【請求項１２】
前記アップリンクにおける機能は、更に、メディアアクセスコントロール機能及び無線リンクコントロール機能を含む、請求項１１に記載の方法。
【請求項１３】
前記インターフェイスは、前記アクセスコントローラに結合された銅リンクに結合されたワイヤードインターフェイス、前記アクセスコントローラへのワイヤレスリンクを与えるワイヤレスインターフェイス、又は前記アクセスコントローラに結合された光学リンクを与える光学的インターフェイスの１つを含む、請求項８、９、１０、１１又は１２に記載の方法。
【請求項１４】
前記インターフェイスは、Ｅｔｈｅｒｎｅｔインターフェイスを含む、請求項１３に記載の方法。
【請求項１５】
コンピュータに使用するために実施されたコンピュータプログラムコードを保持するコンピュータ読み取り可能な媒体を備え、そのコンピュータプログラムコードは、請求項８から１４のいずれかに記載の方法のいずれかの動作を実行するためのコードを含む、コンピュータプログラム製品。
【請求項１６】
アクセスポイントに結合されたインターフェイスと、
１つ以上のプロセッサと、
コンピュータプログラムコードを含む１つ以上のメモリと、
を備えた装置において、前記１つ以上のメモリ及びコンピュータプログラムコードは、前記１つ以上のプロセッサとで、前記装置に、少なくとも次のことを実行させるように構成され、即ち、
ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行し、データリンクレイヤのためのダウンリンクにおける機能は、パケットデータコントロールプロトコル機能を実行することを含み、及び
アップリンクでは、インターフェイスを経てパケット信号を受信し、その受信したパケット信号に基づいてデータリンクレイヤのための機能を実行して、無線ベアラの情報を生成し、そしてコントロールプレーン機能を実行し、データリンクレイヤのためのアップリンクにおける機能は、パケットデータコントロールプロトコル機能を実行することを含み、
データリンクレイヤのためにアップリンク及びダウンリンクに対して実行される機能は、トランスポートチャンネルと無線ベアラとの間で情報を変換するためにデータリンクレイヤによって実行される機能の全部ではなく、その幾つかである、装置。
【請求項１７】
前記データリンクレイヤのためのアップリンクにおける機能は、更に、無線リンクコントロール機能及びメディアアクセスコントロール機能を含む、請求項１６に記載の装置。
【請求項１８】
前記データリンクレイヤのためのダウンリンクにおける機能は、更に、無線リンクコントロール機能を含み、そして前記データリンクレイヤのためのアップリンクにおける機能は、更に、無線リンクコントロール機能を含む、請求項１６又は１７に記載の装置。
【請求項１９】
前記データリンクレイヤのためのアップリンクにおける機能は、更に、メディアアクセスコントロール機能と、アップリンクにおいてアクセスポイントで動作する第１のリアルタイムパケットスケジューラに対して１つ以上の第１のスケジューリングポリシーを決定し、そしてその１つ以上の第１のスケジューリングポリシーを、インターフェイスを経てリアルタイムパケットスケジューラへ転送する第１のプリスケジューラとを含み、そして前記データリンクレイヤのためのダウンリンクにおける機能は、更に、ダウンリンクにおいてアクセスポイントで動作する第２のリアルタイムパケットスケジューラ機能に対して１つ以上の第２のスケジューリングポリシーを決定し、そしてその１つ以上の第２のスケジューリングポリシーを、インターフェイスを経て第２のリアルタイムパケットスケジューラへ転送する第２のプリスケジューラを含む、請求項１８に記載の装置。
【請求項２０】
前記インターフェイスは、前記アクセスポイントに結合された銅リンクに結合されたワイヤードインターフェイス、前記アクセスポイントへのワイヤレスリンクを与えるワイヤレスインターフェイス、又は前記アクセスポイントに結合された光学リンクに結合された光学的インターフェイスの１つを含む、請求項１６、１７、１８又は１９に記載の装置。
【請求項２１】
前記インターフェイスは、Ｅｔｈｅｒｎｅｔインターフェイスを含む、請求項２０に記載の装置。
【請求項２２】
ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行し、データリンクレイヤのためのダウンリンクにおける機能は、パケットデータコントロールプロトコル機能を実行することを含み、更に、
アップリンクでは、インターフェイスを経てパケット信号を受信し、その受信したパケット信号に基づいてデータリンクレイヤのための機能を実行して、無線ベアラの情報を生成し、そしてコントロールプレーン機能を実行し、データリンクレイヤのためのアップリンクにおける機能は、パケットデータコントロールプロトコル機能を実行することを含み、
データリンクレイヤのためにアップリンク及びダウンリンクに対して実行される機能は、トランスポートチャンネルと無線ベアラとの間で情報を変換するためにデータリンクレイヤによって実行される機能の全部ではなく、その幾つかである、方法。
【請求項２３】
前記データリンクレイヤのためのアップリンクにおける機能は、更に、無線リンクコントロール機能及びメディアアクセスコントロール機能を含む、請求項２２に記載の方法。
【請求項２４】
前記データリンクレイヤのためのダウンリンクにおける機能は、更に、無線リンクコントロール機能を含み、そして前記データリンクレイヤのためのアップリンクにおける機能は、更に、無線リンクコントロール機能を含む、請求項２２又は２３に記載の方法。
【請求項２５】
前記データリンクレイヤのためのアップリンクにおける機能は、更に、メディアアクセスコントロール機能と、アップリンクにおいてアクセスポイントで動作する第１のリアルタイムパケットスケジューラに対して１つ以上の第１のスケジューリングポリシーを決定し、そしてその１つ以上の第１のスケジューリングポリシーを、インターフェイスを経てリアルタイムパケットスケジューラへ転送する第１のプリスケジューラとを含み、そして前記データリンクレイヤのためのダウンリンクにおける機能は、更に、ダウンリンクにおいてアクセスポイントで動作する第２のリアルタイムパケットスケジューラ機能に対して１つ以上の第２のスケジューリングポリシーを決定し、そしてその１つ以上の第２のスケジューリングポリシーを、インターフェイスを経て第２のリアルタイムパケットスケジューラへ転送する第２のプリスケジューラを含む、請求項２４に記載の方法。
【請求項２６】
前記インターフェイスは、前記アクセスポイントに結合された銅リンクに結合されたワイヤードインターフェイス、前記アクセスポイントへのワイヤレスリンクを与えるワイヤレスインターフェイス、又は前記アクセスポイントに結合された光学リンクに結合された光学的インターフェイスの１つを含む、請求項２２、２３、２４又は２５に記載の方法。
【請求項２７】
前記インターフェイスは、Ｅｔｈｅｒｎｅｔインターフェイスを含む、請求項２６に記載の方法。
【請求項２８】
コンピュータに使用するために実施されたコンピュータプログラムコードを保持するコンピュータ読み取り可能な媒体を備え、そのコンピュータプログラムコードは、請求項２２から２７のいずれかに記載の方法のいずれかの動作を実行するためのコードを含む、コンピュータプログラム製品。
【請求項２９】
ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換するための手段を備え、前記変換は、少なくとも物理的レイヤに対する動作を実行することを含み、及び
アップリンクでは、トランスポートチャンネルの情報に基づきデータリンクレイヤのための機能を実行して、パケット信号を決定し、そのパケット信号を、インターフェイスを経てアクセスコントローラへ送信し、そしてダウンリンクでは、インターフェイスを経て受信したパケット信号に基づいてデータリンクレイヤのための機能を実行して、トランスポートチャンネルの情報を生成するための手段を備え、ダウンリンクにおける機能は、ダウンリンクパケットスケジューリング機能及びダウンリンクメディアアクセスコントロール機能を含み、そしてアップリンクにおける機能は、アップリンクパケットスケジューリング機能を含み、更に、アップリンク及びダウンリンクに対して実行される機能は、トランスポートチャンネルと無線ベアラとの間で情報を変換するためにデータリンクレイヤにより実行される機能の全部ではなく、その幾つかである、装置。
【請求項３０】
前記ダウンリンクパケットスケジューリング機能は、インターフェイスを経て１つ以上のダウンリンクスケジューリングポリシーを受け取るリアルタイムダウンリンクパケットスケジューリング機能を含み、そして前記アップリンクパケットスケジューリング機能は、インターフェイスを経て１つ以上のアップリンクスケジューリングポリシーを受け取るリアルタイムアップリンクパケットスケジューリング機能を含む、請求項２９に記載の装置。
【請求項３１】
前記アップリンクにおける機能は、更に、メディアアクセスコントロール機能を含む、請求項２９又は３０に記載の装置。
【請求項３２】
前記ダウンリンクにおける機能は、更に、無線リンクコントロール機能及びプリスケジューラ機能を含み、そして前記アップリンクにおける機能は、更に、プリスケジューラ機能を含む、請求項２９、３０又は３１に記載の装置。
【請求項３３】
前記アップリンクにおける機能は、更に、メディアアクセスコントロール機能及び無線リンクコントロール機能を含む、請求項３２に記載の装置。
【請求項３４】
前記インターフェイスは、前記アクセスコントローラに結合された銅リンクに結合されたワイヤードインターフェイス、前記アクセスコントローラへのワイヤレスリンクを与えるワイヤレスインターフェイス、又は前記アクセスコントローラに結合された光学リンクを与える光学的インターフェイスの１つを含む、請求項２９、３０、３１、３２又は３３に記載の装置。
【請求項３５】
前記インターフェイスは、Ｅｔｈｅｒｎｅｔインターフェイスを含む、請求項３４に記載の装置。
【請求項３６】
ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行するための手段を備え、データリンクレイヤのためのダウンリンクにおける機能は、パケットデータコントロールプロトコル機能を実行することを含み、及び
アップリンクでは、インターフェイスを経てパケット信号を受信し、その受信したパケット信号に基づいてデータリンクレイヤのための機能を実行して、無線ベアラの情報を生成し、そしてコントロールプレーン機能を実行するための手段を備え、データリンクレイヤのためのアップリンクにおける機能は、パケットデータコントロールプロトコル機能を実行することを含み、
データリンクレイヤのためにアップリンク及びダウンリンクに対して実行される機能は、トランスポートチャンネルと無線ベアラとの間で情報を変換するためにデータリンクレイヤによって実行される機能の全部ではなく、その幾つかである、装置。
【請求項３７】
前記データリンクレイヤのためのアップリンクにおける機能は、更に、無線リンクコントロール機能及びメディアアクセスコントロール機能を含む、請求項３６に記載の装置。
【請求項３８】
前記データリンクレイヤのためのダウンリンクにおける機能は、更に、無線リンクコントロール機能を含み、そして前記データリンクレイヤのためのアップリンクにおける機能は、更に、無線リンクコントロール機能を含む、請求項３６又は３７に記載の装置。
【請求項３９】
前記データリンクレイヤのためのアップリンクにおける機能は、更に、メディアアクセスコントロール機能と、アップリンクにおいてアクセスポイントで動作する第１のリアルタイムパケットスケジューラに対して１つ以上の第１のスケジューリングポリシーを決定し、そしてその１つ以上の第１のスケジューリングポリシーを、インターフェイスを経てリアルタイムパケットスケジューラへ転送する第１のプリスケジューラとを含み、そして前記データリンクレイヤのためのダウンリンクにおける機能は、更に、ダウンリンクにおいてアクセスポイントで動作する第２のリアルタイムパケットスケジューラ機能に対して１つ以上の第２のスケジューリングポリシーを決定し、そしてその１つ以上の第２のスケジューリングポリシーを、インターフェイスを経て第２のリアルタイムパケットスケジューラへ転送する第２のプリスケジューラを含む、請求項３８に記載の装置。
【請求項４０】
前記インターフェイスは、前記アクセスポイントに結合された銅リンクに結合されたワイヤードインターフェイス、前記アクセスポイントへのワイヤレスリンクを与えるワイヤレスインターフェイス、又は前記アクセスポイントに結合された光学リンクに結合された光学的インターフェイスの１つを含む、請求項３６、３７、３８又は３９に記載の装置。
【請求項４１】
前記インターフェイスは、Ｅｔｈｅｒｎｅｔインターフェイスを含む、請求項４０に記載の装置。
【発明の詳細な説明】
【技術分野】
【０００１】
本発明は、一般的に、高周波通信に関するもので、より詳細には、移動通信スタックに関する。
【背景技術】
【０００２】
本章は、特許請求の範囲に記載された発明に対する背景又は状況を与えることを意図している。ここでの説明は、追求されたが必ずしもこれまでに想像、具現化又は説明されたものではない概念を含むかもしれない。それ故、特に指示のない限り、本章での説明は、本出願の説明及び特許請求の範囲に対する従来技術でもないし、又、本章に含ませることで従来技術として認められるものでもない。
【０００３】
明細書及び／又は図面に見られる以下の省略形は、次のように定義される。
ＡＣＫ／ＮＡＣＫ：確認／否定確認
ＡＦＥ：アナログフロントエンド
ＡＲＱ：自動リピート要求
ＡＭ：確認モード
ＢＢ：ベースバンド
ＢＴＳ：ベーストランシーバステーション
ＣｏＭＰ：整合マルチポイント
ＣＰＲＩ：共通パブリック無線インターフェイス
Ｃ−ＲＡＮ：クラウドＲＡＮ
ＤＦＥ：デジタルフロントエンド
ＤＬ：ダウンリンク（ベースステーションからユーザ装置へ）
ＤＰＤ：デジタルプリディストーション
ｅＮＢ：ＥＵＴＲＡＮ  ＮｏｄｅＢ（進化型ノードＢ／ベースステーション）
ＥＰＣ：進化型パケットコア
ＥＵＴＲＡＮ：進化型ユニバーサル地上アクセスネットワーク
ＦＤＤ：周波数分割デュープレクス
ＨＡＲＱ：ハイブリッド自動リピート要求
ＨＳＤＰＡ：高速ダウンリンクパケットアクセス
ＨＷ：ハードウェア
ＩＰｓｅｃ：インターネットプロトコルセキュリティ
ＩＴ：情報技術
Ｌ１：レイヤ１（物理的レイヤ）
Ｌ２：レイヤ２（データリンクレイヤ）
Ｌ３：レイヤ３（ネットワークレイヤ）
ＬＴＥ：長期的進化
ＭＡＣ：メディアアクセスコントロール
ＮＡＳ：非アクセス層
ＯＢＳＡＩ：オープンベースステーションアーキテクチャーイニシアティブ
ＰＤＣＣＨ：物理的ダウンリンクコントロールチャンネル
ＰＤＣＰ：パケットデータ収斂プロトコル
ＰＤＵ：プロトコルデータユニット
ＰＤＳＣＨ：物理的ダウンリンク共有チャンネル
ＰｏＣ：概念実証
ＰＵＣＣＨ：パケットアップリンクコントロールチャンネル
ＰＵＳＣＨ：パケットアップリンク共有チャンネル
ＲＡＮ：無線アクセスネットワーク
ＲＦ：高周波
ＲＬＣ：無線リンクコントロール
ＲＯＨＣ：ロバストヘッダ圧縮
ＲＲＣ：無線リソースコントロール
ＳＡＰ：サービスアクセスポイント
ＳＣＨ：同期チャンネル
ＳＤＵ：サービスデータユニット
ＳＯＮ：自己編成ネットワーク
ＳＲＩＯ：シリアル急速入力出力
ＳＷ：ソフトウェア
ＵＬ：アップリンク（ユーザ装置からベースステーションへ）
ＵＭ：非確認モード
ＵＭＴＳ：ユニバーサル移動テレコミュニケーションシステム
ＷＬＡＮ：ワイヤレスローカルエリアネットワーク
【０００４】
１つの近代的な通信システムは、進化型ＵＴＲＡＮ（Ｅ−ＵＴＲＡＮ）として知られている（ＵＴＲＡＮ−ＬＴＥ又はＥ−ＵＴＲＡとも称される）。図１は、３ＧＰＰ  ＴＳ  ３６．３００（Ｖ１０．３．０（２０１１−０３）、Ｒｅｌ−１０）の図４−１を再現したもので、ＥＵＴＲＡＮシステムの全体的なアーキテクチャーを示す。Ｅ−ＵＴＲＡＮシステムは、ＵＥに向けてＥ−ＵＴＲＡＮユーザプレーン（ＰＤＣＰ／ＲＬＣ／ＭＡＣ／ＰＨＹ）及びコントロールプレーン（ＲＲＣ）プロトコルターミネーションを与えるｅＮＢを備えている。ｅＮＢは、Ｘ２インターフェイスにより互いに相互接続される。又、ｅＮＢは、Ｓ１インターフェイスによりＥＰＣにも接続され、より詳細には、Ｓ１  ＭＭＥインターフェイスによりＭＭＥへ及びＳ１インターフェイス（ＭＭＥ／Ｓ−ＧＷ）によりＳ−ＧＷにも接続される。Ｓ１インターフェイスは、ＭＭＥ／Ｓ−ＧＷ／ＵＰＥとｅＮＢとの間に多対多の関係をサポートする。このシステムでは、ＤＬアクセス技術は、ＯＦＤＭＡであり、ＵＬアクセス技術は、ＳＣ−ＦＤＭＡである。図１に示すＥＵＴＲＡＮシステムは、本発明の規範的な実施形態が使用される１つの考えられるシステムである。
【０００５】
ここで特に関心があるのは、将来のＩＭＴ−Ａシステムに向けて照準を合わせた３ＧＰＰ  ＬＴＥ（例えば、ＬＴＥ  Ｒｅｌ−１０、ＬＴＥ  Ｒｅｌ−１１）であり、ここでは、便宜上、単に、ＬＴＥ−アドバンスト（ＬＴＥ−Ａ）と称される。ＬＴＥ−Ａは、Ｒｅｌ−１０（例えば、３ＧＰＰ  ＴＳ  ３６．３００  Ｖ１０．３．０（２０１１−０３）を参照）に明記されており、更なる改善がＲｅｌ−１１に明記されている。この点については、３ＧＰＰ  ＴＲ  ３６．９１３  ｖ９．０．０（２００９−１２）テクニカルレポート第三世代パートナーシッププロジェクト；技術仕様グループ無線アクセスネットワーク；進化型ユニバーサル地上無線アクセスのための更なる進歩のための要件（Ｅ−ＵＴＲＡ）（ＬＴＥ−アドバンスト）（リリース９）も参照されたい。又、３ＧＰＰ  ＴＲ  ３６．９１２  Ｖ９．３．０（２０１０−０６）テクニカルレポート第三世代パートナーシッププロジェクト；技術仕様グループ無線アクセスネットワーク；Ｅ−ＵＴＲＡの更なる進歩のための実現性の研究（ＬＴＥ−アドバンスト）（リリース９）。
【発明の概要】
【発明が解決しようとする課題】
【０００６】
ＬＴＥ−Ａの目標は、高いデータレート、短いレイテンシー及び低いコストにより著しく改善されたサービスを提供することである。ＬＴＥ−Ａは、３ＧＰＰ  ＬＴＥ  Ｒｅｌ−８無線アクセス技術を拡張し最適化して、低いコストで高いデータレートを与えることに向けられる。ＬＴＥ−Ａは、ＬＴＥ  Ｒｅｌ−８との上位互換性を保持しながらも、ＩＭＴ−アドバンストのためのＩＴＵ−Ｒ要件を満足する更に最適化された無線システムである。
【０００７】
整合型マルチポイント（ＣｏＭＰ）送信及び受信は、ＬＴＥ−Ａにとって高データレートのカバレージを改善するためのツールと考えられる。この形式のシステムでは、多数の地理的に分離したポイントと、それらのポイントにあるアンテナが、多数のユーザ装置から信号を受信し、又は多数のユーザ装置へ信号を送信する。
【課題を解決するための手段】
【０００８】
以下の概要は、単なる説明に過ぎない。この概要は、特許請求の範囲を限定するものではない。
【０００９】
本発明の１つの態様において、アクセスコントローラに結合されたインターフェイスと、１つ以上のプロセッサと、コンピュータプログラムコードを含む１つ以上のメモリとを備えた装置が開示される。１つ以上のメモリ及びコンピュータプログラムコードは、１つ以上のプロセッサとで、装置に少なくとも次の動作を実行させるように構成され、即ち、ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換する。その変換は、少なくとも物理的レイヤに対する動作を実行することを含む。又、１つ以上のメモリ及びコンピュータプログラムコードは、１つ以上のプロセッサとで、装置に少なくとも次の動作を実行させるように構成され、即ち、アップリンクでは、トランスポートチャンネルの情報に基づいてデータリンクレイヤのための機能を実行して、パケット信号を決定し、そのパケット信号を、インターフェイスを経てアクセスコントローラへ送信し、そしてダウンリンクでは、インターフェイスを経て受信したパケット信号に基づいてデータリンクレイヤのための機能を実行して、トランスポートチャンネルの情報を生成する。ダウンリンクの機能は、ダウンリンクパケットスケジューリング機能及びダウンリンクメディアアクセスコントロール機能を含み、そしてアップリンクの機能は、アップリンクパケットスケジューリング機能を含む。アップリンク及びダウンリンクに対して実行される機能は、トランスポートチャンネルと無線ベアラとの間で情報を変換するためにデータリンクレイヤによって実行される機能の全部ではないが、その幾つかである。
【００１０】
別の規範的な実施形態において、ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換することを含む方法が開示される。その変換は、少なくとも物理的レイヤに対する動作を実行することを含む。又、この方法は、アップリンクでは、トランスポートチャンネルの情報に基づきデータリンクレイヤのための機能を実行して、パケット信号を決定し、そのパケット信号を、インターフェイスを経てアクセスコントローラへ送信し、そしてダウンリンクでは、インターフェイスを経て受信したパケット信号に基づいてデータリンクレイヤのための機能を実行して、トランスポートチャンネルの情報を生成する。ダウンリンクの機能は、ダウンリンクパケットスケジューリング機能及びダウンリンクメディアアクセスコントロール機能を含み、そしてアップリンクの機能は、アップリンクパケットスケジューリング機能を含む。アップリンク及びダウンリンクに対して実行される機能は、トランスポートチャンネルと無線ベアラとの間で情報を変換するためにデータリンクレイヤにより実行される機能の全部ではないが、その幾つかである。
【００１１】
別の態様において、アクセスポイントに結合されたインターフェイスと、１つ以上のプロセッサと、コンピュータプログラムコードを含む１つ以上のメモリとを備えた装置が開示される。１つ以上のメモリ及びコンピュータプログラムコードは、１つ以上のプロセッサとで、装置に、少なくとも次の動作を実行させるように構成され、即ち、ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行する。データリンクレイヤのためのダウンリンクの機能は、パケットデータコントロールプロトコル機能を実行することを含む。又、１つ以上のメモリ及びコンピュータプログラムコードは、１つ以上のプロセッサとで、装置に、少なくとも次の動作を実行させるように構成され、即ち、アップリンクでは、インターフェイスを経てパケット信号を受信し、その受信したパケット信号に基づいてデータリンクレイヤのための機能を実行して、無線ベアラの情報を生成し、そしてコントロールプレーン機能を実行する。データリンクレイヤのためのアップリンクの機能は、パケットデータコントロールプロトコル機能を実行することを含み、データリンクレイヤのためにアップリンク及びダウンリンクに対して実行される機能は、トランスポートチャンネルと無線ベアラとの間で情報を変換するためにデータリンクレイヤによって実行される機能の全部ではないが、その幾つかである。
【００１２】
別の規範的な実施形態において、ダウンリンクでは、無線ベアラの情報を受信し、無線ベアラの情報に基づきデータリンクレイヤのための機能を実行して、パケット信号を決定し、そのパケット信号を、インターフェイスを経てアクセスポイントへ送信し、そしてコントロールプレーン機能を実行することを含む方法が開示される。データリンクレイヤのためのダウンリンクの機能は、パケットデータコントロールプロトコル機能を実行することを含む。この方法は、更に、アップリンクでは、インターフェイスを経てパケット信号を受信し、その受信したパケット信号に基づいてデータリンクレイヤのための機能を実行して、無線ベアラの情報を生成し、そしてコントロールプレーン機能を実行することを含む。データリンクレイヤのためのアップリンクの機能は、パケットデータコントロールプロトコル機能を実行することを含み、データリンクレイヤのためにアップリンク及びダウンリンクに対して実行される機能は、トランスポートチャンネルと無線ベアラとの間で情報を変換するためにデータリンクレイヤによって実行される機能の全部ではないが、その幾つかである。
【図面の簡単な説明】
【００１３】
【図１】３ＧＰＰ  ＴＳ  ３６．３００（Ｖ１０．３．０（２０１１−０３））の図４−１を再現したもので、ＥＵＴＲＡＮシステム（Ｒｅｌ−１０）の全体的なアーキテクチャーを示す。
【図２】マクロＬＴＥ  ｅＮＢアーキテクチャーのブロック図である。
【図３】フェムトＬＴＥ  ｅＮＢアーキテクチャーのブロック図である。
【図４】３ＧＰＰ  ＴＳ  ３６．３００（Ｖ１０．３．０（２０１１−０３））の、図６−１、ＤＬのためのレイヤ２構造を再現したものである。
【図５】３ＧＰＰ  ＴＳ  ３６．３００（Ｖ１０．３．０（２０１１−０３））の、図６−２、ＵＬのためのレイヤ２構造を再現したものである。
【図６】レイヤ１及び２の高レベルブロック図で、機能的エレメントと、機能的エレメントを通るリアルタイムＤＬ  ＨＡＲＱループを示す。
【図７】レイヤ１及び２の高レベルブロック図で、機能的エレメントと、機能的エレメントを通るリアルタイムＵＬ  ＨＡＲＱループを示す。
【図８】レイヤ１及び２の高レベルブロック図で、機能的エレメントと、機能的エレメントを通るリアルタイムＤＬ／ＵＬスケジューラ相互作用ループを示す。
【図９】本発明の規範的実施形態の具現化に使用するのに適した種々の電子装置の簡単なブロック図である。
【図１０】本発明の規範的な実施形態によるアクセスポイント−アクセスコントローラアーキテクチャーの規範的ブロック図である。
【図１１】レイヤ１及び２の高レベルブロック図で、機能的エレメントと、４つの規範的配備シナリオに対する機能的エレメント間の規範的分割とを示す図である。
【図１２】３ＧＰＰ  ＴＳ  ３６．３００（Ｖ１０．３．０（２０１１−０３））からの図４．３．２−１、コントロールプレーンプロトコルスタック、の変更バージョンを示す。
【図１３】アクセスポイントにより実行される論理フロー図で、本発明の規範的な実施形態による方法の動作、及びコンピュータ読み取り可能な媒体で実施されるコンピュータプログラムインストラクションの実行結果を示す。
【図１４】アクセスコントローラにより実行される論理フロー図で、本発明の規範的な実施形態による方法の動作、及びコンピュータ読み取り可能な媒体で実施されるコンピュータプログラムインストラクションの実行結果を示す。
【発明を実施するための形態】
【００１４】
上述したように、ＣｏＭＰ受信は、ＬＴＥ−Ａにとって、高データレートのカバレージを改善し且つシステムスループットを増加するツールと考えられる。今日のマクロＬＴＥ無線ネットワークでは、アクセスポイント（例えば、リモート無線ヘッド）及びアクセスコントローラ（例えば、ベースバンドユニット）は、ＣＰＲＩ又はＯＢＳＡＩのような標準インターフェイスを経て接続される。アクセスポイントにおいてベースバンド処理が全く行われない間にアクセスコントローラにおいて全ベースバンド処理が実行される。図２は、その一例であり、アクセスポイントは、アクセスポイント（例えば、ＲＲＨ）にアナログフロントエンド（ＡＦＥ）回路及びデジタルフロントエンド（ＤＥＦ）回路を含み、そしてアクセスコントローラは、レイヤＬ１（物理的レイヤとも称される）、Ｌ２（データリンクレイヤとも称される）及びＬ３（ネットワークレイヤとも称される）のための回路及びトランスポート回路を含むベースバンドユニットより成る。アクセスコントローラは、進化型パケットコア（ＥＰＣ）と通信する。
【００１５】
そのようなアーキテクチャーでは、アクセスポイントとアクセスコントローラとの間に高速光ファイバインターフェイス（３Ｇｂｐｓ（ギガビット／秒）より高い）が要求される。これは、アクセスポイントがマストの最上部にインストールされる一方、アクセスコントローラがマストの脚部にインストールされる場合には、問題にならない。しかしながら、アクセスポイント及びアクセスコントローラが数百メーター又は数キロメーター分離されるクラウドＲＡＮ（Ｃ−ＲＡＮ）アーキテクチャーでは、これが大きな問題になる。
【００１６】
ほとんどの国々ではアクセス可能な光学的バックホールが不足しているために、Ｃ−ＲＡＮアーキテクチャーを屋外に配備することはほぼ不可能である。屋内の企業配備でも、ほとんどの建物内配線インフラストラクチャーは、ＣＡＴ  ５ｅ（カテゴリー５、改善型）ケーブルで約１Ｇｂｐｓスループットまでしかサポートできない。
【００１７】
スペクトルの他方の極端では、フェムト又は企業用フェムト装置が使用され、アクセスコントローラは全く存在しない。というのは、ベースバンド処理を含む全ての機能がアクセスポイントで実行されるからである。図３を参照されたい。
【００１８】
そのような高度に一体型のシステム（例えば、家庭用ｅＮＢ、企業用フェムト）に伴う共通の問題は、次のものを含む。マクロｅＮＢとの特徴パリティに欠ける；性能が不充分；これらは、ＬＴＥ−アドバンストにおいてより進歩した特徴をサポートするためにアップグレードすることが困難である。
【００１９】
或いは又、あるベースバンド処理はアクセスポイントに残すことができる。解決すべき１つの問題は、どの機能をどのノード（アクセスポイント又はアクセスコントローラ）に入れるべきか選択することである。これは、特に、Ｌ２レイヤ（即ち、データリンクレイヤ）について言えることである。というのは、このレイヤは、厳密なレイテンシー要件を有するからである（以下に述べる）。図４は、３ＧＰＰ  ＴＳ  ３６．３００（Ｖ１０．３．０（２０１１−０３））の、図６−１、ＤＬのためのレイヤ２構造を再現したものである。この図は、ＤＬのためのデータリンクレイヤ／Ｌ２レイヤとしてＭＡＣサブレイヤ、ＲＬＣサブレイヤ及びＰＤＣＰサブレイヤを示す。図４のサブレイヤによって実行される機能は、回路により実行され、典型的に、ｅＮＢのようなベースステーションによって実行される。ピア・ツー・ピア通信のサービスアクセスポイント（ＳＡＰ）は、サブレイヤ間のインターフェイスに丸で示されている。物理的レイヤとＭＡＣサブレイヤとの間のＳＡＰは、トランスポートチャンネルを与える。ＭＡＣサブレイヤとＲＬＣサブレイヤとの間のＳＡＰは、論理的チャンネルを与える。同じトランスポートチャンネル（即ち、トランスポートブロック）において複数の論理的チャンネル（即ち、無線ベアラ）をマルチプレクスすることは、ＭＡＣサブレイヤにより実行される。３ＧＰＰ  ＴＳ  ３６．３００の第６章を参照されたい。
【００２０】
図５は、３ＧＰＰ  ＴＳ  ３６．３００（Ｖ１０．３．０（２０１１−０３））の、図６−２、ＵＬのためのレイヤ２構造を再現したものである。図５は、ＵＬのためのデータリンクレイヤ／Ｌ２レイヤとしてＭＡＣサブレイヤ、ＲＬＣサブレイヤ及びＰＤＣＰサブレイヤを示す。図５のサブレイヤにより実行される機能は、回路により実行され、そしてユーザ装置により実行される。しかしながら、ｅＮＢは、図６−８及び１１に示すように、同様のサブレイヤを有する。
【００２１】
上述したように、解決すべき１つの問題は、どの機能をどのノード（アクセスポイント又はアクセスコントローラ）に入れるべきか選択することである。アクセスコントローラに残された機能は、リソースの効率的なプーリングを可能にするために最大にされねばならない。他方、Ｌ２処理及びパケットスケジューリングは、物理的レイヤエアインターフェイスに結びついた厳密なＨＡＲＱループタイミング要件のために、レイテンシーが重要となる。これは、Ｌ２レイヤをリモート配備すると、アクセスポイントとアクセスコントローラとの間のインターフェイスに厳密なレイテンシー要件が生じて、高価なインターフェイスを招くことを意味する。例えば、アクセスポイントがアクセスコントローラから離れて位置されるときには、銅が考慮されなくなり、ＳＲＩＯインターフェイスを伴う光ファイバ又はマイクロ波が必要となる。従って、目標は、レイテンシーが重要な全ての機能をアクセスポイントに配備することである。
【００２２】
特に、ダウンリンクＨＡＲＱループにおけるｅＮＢ機能のレイテンシー要件が重要である。レイヤ１及び２の高レベルブロック図で、機能的エレメントと、機能的エレメントを通るリアルタイムＤＬ  ＨＡＲＱループ６５５を示す図６を参照されたい。ダウンリンクＬ２レイヤは、ＤＬ  ＰＤＣＰ機能６０５（図４に示すＰＤＣＰサブレイヤに対応する）、ＤＬ  ＲＬＣ機能６１５（図４に示すＲＬＣサブレイヤに対応する）、ＤＬ  ＭＡＣ機能６２５（ユニキャストスケジューリング／プライオリティ取り扱い機能以外の図４に示すＭＡＣサブレイヤのほとんどに対応する）、及びＤＬパケットスケジューラ６３５（図４に示すユニキャストスケジューリング／プライオリティ取り扱い機能に対応する）を含む。アップリンクＬ２レイヤは、ＵＬ  ＰＤＣＰ機能６１０、ＵＬ  ＲＬＣ機能６２０、ＵＬ  ＭＡＣ機能６３０、及びＵＬパケットスケジューラ６５０を含む。これらの機能は、各々、図５の機能に対応するが、各動作は、逆に動作する。即ち、図５のＭＡＣサブレイヤは、ＭＡＣ  ＳＤＵ（サービスデータユニット）をマルチプレクスし、一方、ＵＬ  ＭＡＣ機能６３０は、ＭＡＣ  ＳＤＵをデマルチプレクスする。ＵＬ  ＲＬＣ６２０は、例えば、デセグメンテーション及びＡＲＱを実行する。ＵＬ  ＰＤＣＰは、例えば、セキュリティ除去及びヘッダデコンプレッションを実行する。又、ＤＬ  ＰＨＹ（Ｌ１）機能／レイヤ６４５、及びＵＬ  ＰＨＹ（Ｌ１）機能／レイヤ６５０も示されている。図７のエレメント間の線は、エレメント間の接続を示す。レイテンシーが重要な機能は、次のものであると考えられる。ＤＬ  ＲＬＣ機能６１５、ＤＬ  ＭＡＣ機能６２５、ＤＬ及びＵＬパケットスケジューラ６２５、６３５、並びにＤＬ及びＵＬ  ＰＨＹ機能／レイヤ６４５、６５０。これらの機能も、図７、８及び１１においてレイテンシーが重要であると考えられる。
【００２３】
ＤＬ  ＨＡＲＱループ６５５は、３ｍｓ（ミリ秒）のレイテンシー要件を満足しなければならないＨＡＲＱループの一例を示す。ＤＬ  ＨＡＲＱのレイテンシー要件は、次のものを含む。
−ＰＵＣＣＨ又はＰＵＳＣＨにおけるダウンリンクＨＡＲＱ  ＡＣＫ／ＮＡＣＫ情報のＬ１受信（ＵＬ  ＰＨＹ機能６５０による）；
−ダウンリンクパケットスケジューラ６３５の機能；
−ダウンリンクＲＬＣ及びＭＡＣプロトコルデータユニット（ＰＤＵ）構築（ＤＬ  ＲＬＣ機能６１５及びＤＬ  ＭＡＣ機能６２５による）；
−ＰＤＣＣＨにおけるコントロール情報のＬ１送信（ＤＬ  ＰＨＹ機能／レイヤ６４５による）；及び
−ＰＤＳＣＨにおけるダウンリンクＭＡＣ  ＰＤＵのＬ１送信（ＤＬ  ＰＨＹ機能／レイヤ６４５による）。
【００２４】
アップリンクＨＡＲＱループ７５５（図７を参照）機能のレイテンシー要件は、次のものを含む。
−ＰＵＳＣＨにおけるアップリンクＭＡＣ  ＰＤＵのＬ１受信（ＵＬ  ＰＨＹ機能／レイヤ６５０による）；
−アップリンクパケットスケジューラ６４０の機能；
−ＰＤＣＣＨにおけるコントロール情報のＬ１送信（ＤＬ  ＰＨＹ機能／レイヤ６４５による）。
アップリンクＨＡＲＱループ７５５は、ＭＡＣ及びＲＬＣプロトコル取り扱いを要求しないことに注意されたい。
【００２５】
典型的な具現化では、両ＨＡＲＱループ６５５、７５５におけるｅＮＢ機能のバジェットは、３ｍｓ（ミリ秒）である。
【００２６】
図８は、レイヤ１及び２の高レベルブロック図で、機能的エレメントと、機能的エレメントを通るリアルタイムＤＬ／ＵＬスケジューラ相互作用ループ８５５を示す。このループ８５５もレイテンシー要件を有する。特に、アップリンク及びダウンリンクパケットスケジューラは、ダウンリンクシグナリングとアップリンクシグナリングとの間でＰＤＣＣＨチャンネルのリソースをどのように共有するか合意するためにこのループにおいて通信する必要がある。
【００２７】
ＵＭＴＳアーキテクチャーは、ノードＢのＲＮＣ及びＬ１にＲＬＣ及びＭＡＣプロトコルを配置する。これは、ＨＡＲＱをサポートするものではない。ＵＭＴＳのＨＳＤＰＡアーキテクチャーでは、ＭＡＣのＨＡＲＱ部分がノードＢに配置される。企業のＷＬＡＮアーキテクチャーでは、幾つかの売主から同様のアクセスポイント及びコントローラ構造体が使用されている。そのような売主からの製品は、全て、所有権のあるプロトコルを使用しているが、ＷＬＡＮにおける分割ＭＡＣインターフェイスを標準化するためＩＥＥＥ  ＣＡＰＷＡＰプロトコルが提案されている。しかしながら、これらの各アーキテクチャーは、依然、時間が重要な機能をそれらの各コントロールエレメントに残しており、コントロールエレメントと、クライアント装置とのワイヤレス相互作用を与えるポイントとの間に、依然、高いデータレートを要求する。
【００２８】
本発明の規範的な実施形態を説明する前に、本発明の規範的実施形態の具現化に使用するのに適した種々の装置の簡単なブロック図である図９を参照する。図９において、ワイヤレスネットワーク９０は、アクセスコントローラ１２と、ＮＣＥ／ＭＭＥ／ＳＧＷ１４と、ＲＲＨ１３０として示すアクセスポイント１３０とを備えている。ワイヤレスネットワーク９０は、ｅＮＢ（ベースステーション）のようなネットワークアクセスノード、及び特に、アクセスコントローラ１２及びアクセスポイント１３０を経て、ワイヤレスリンク３５にわたり、ＵＥ１０と称される移動通信装置のような装置１０と通信する。図９の規範的実施形態では、アクセスポイント１３０及びアクセスコントローラ１２は、ｅＮＢ１３４を形成する。１つのアクセスコントローラ１２に対して複数のアクセスポイント１３０があることに注意されたい。ネットワーク９０は、ネットワークコントロールエレメント（ＮＣＥ）１４を備え、これは、ＭＭＥ／ＳＧＷ機能を含み、ＥＰＣへのアクセスを与え、且つリンク２５を通して電話ネットワーク及び／又はデータ通信ネットワーク８５（例えば、インターネット）のような更に別のネットワークとの接続を与える。ＮＣＥ１４は、少なくとも１つのデータプロセッサ（ＤＰ）１４Ａのようなコントローラと、コンピュータインストラクションのプログラム（ＰＲＯＧ）１０Ｃを記憶するメモリ（ＭＥＭ）１４Ｂとして実施される少なくとも１つのコンピュータ読み取り可能なメモリ媒体とを備えている。
【００２９】
ＵＥ１０は、少なくとも１つのデータプロセッサ（ＤＰ）１０Ａのようなコントローラと、コンピュータインストラクションのプログラム（ＰＲＯＧ）１０Ｃを記憶するメモリ（ＭＥＭ）１０Ｂとして実施される少なくとも１つのコンピュータ読み取り可能なメモリ媒体と、１つ以上のアンテナ１０Ｅを経てアクセスポイント１３０（及びアクセスコントローラ１２）と両方向ワイヤレス通信するための少なくとも１つの適当な高周波（ＲＦ）トランシーバ１０Ｄとを備えている。
【００３０】
又、アクセスコントローラ１２も、少なくともデータプロセッサ（ＤＰ）１２Ａのようなコントローラと、コンピュータインストラクションのプログラム（ＰＲＯＧ）１２Ｃを記憶するメモリ（ＭＥＭ）１２Ｂとして実施される少なくとも１つのコンピュータ読み取り可能なメモリ媒体とを備えている。アクセスコントローラ１２の他の回路に関する付加的な細部は、以下で説明する。アクセスコントローラ１２は、データ及びコントロール経路１３を経てＮＣＥ１４に結合される。経路１３は、図１に示すように、Ｓ１インターフェイスとして実施される。又、アクセスコントローラ１２は、以下に詳細に述べるように、リンク１５を経てアクセスポイント１３０に結合される。
【００３１】
この例では、アクセスポイント１３０は、少なくとも１つのデータプロセッサ（ＤＰ）１３０Ａのようなコントローラと、コンピュータインストラクションのプログラム（ＰＲＯＧ）１３０Ｃを記憶するメモリ（ＭＥＭ）１３０Ｂとして実施される少なくとも１つのコンピュータ読み取り可能なメモリ媒体と、１つ以上のアンテナ１３０Ｅ（上述したように、ＭＩＭＯ動作が使用されるときには典型的に多数ある）とを備えている。アクセスポイント１３０は、リンク３５を経てＵＥ１０と通信する。アクセスポイント１３０に関する更なる詳細は、以下に述べる。
【００３２】
ＰＲＯＧ１２Ｃ及び１３０Ｃの少なくとも１つは、関連するＤＰによって実行されたときに、それに対応する装置が、以下に詳細に述べるように、本発明の規範的な実施形態に基づいて動作できるようにするプログラムインストラクションを含むと仮定する。即ち、本発明の規範的な実施形態は、アクセスコントローラ１２のＤＰ１２Ａ及び／又はアクセスコントローラのＤＰ１３０Ａによって実行されるときに、コンピュータソフトウェアにより、又はハードウェア（例えば、ここに述べる動作の１つ以上を実行するように構成された集積回路）により、或いはソフトウェア及びハードウェアの組み合わせにより、少なくとも一部分具現化される。
【００３３】
コンピュータ読み取り可能なメモリ１２Ｂ及び１３０Ｂは、ローカルな技術環境に適した任意の形式のものであり、そして適当なデータストレージ技術、例えば、半導体ベースのメモリ装置、ランダムアクセスメモリ、リードオンリメモリ、プログラマブルリードオンリメモリ、フラッシュメモリ、磁気メモリ装置及びシステム、光学的メモリ装置及びシステム、固定メモリ及び取り外し可能なメモリを使用して具現化される。データプロセッサ１２Ａ及び１３０Ａは、ローカルな技術環境に適した任意の形式のものであり、そして非限定例として、汎用コンピュータ、特殊目的コンピュータ、マイクロプロセッサ、デジタル信号プロセッサ（ＤＰＳ）、及びマルチコアプロセッサアーキテクチャーに基づくプロセッサを含む。
【００３４】
規範的な装置について述べたが、規範的な実施形態に関する付加的な細部について以下に述べる。本発明は、アクセスポイントとアクセスコントローラとの間で分割された機能を再区分化して、２つのエンティティ間に新たなインターフェイスを生じさせる技術を提案する。
【００３５】
図１０を参照すれば、この図は、本発明の規範的な実施形態によるアクセスポイント−アクセスコントローラアーキテクチャーの規範的ブロック図である。この規範的な実施形態において、アクセスポイント１３０は、Ｌ１機能５２０、及びＬ２機能の時間重要部分を組みこんでいる。アクセスポイント１３０は、ＡＦＥ回路５０５を備え、これは、アンテナ１３０Ｅに結合されて、１つ又は多数のユーザ装置からＲＦ信号５３６を受信すると共に、それらユーザ装置へＲＦ信号５３６を送信する。又、アクセスポイント１３０は、ＤＦＥ回路５１０も備えている。ＲＦ回路５３５は、ＡＦＥ５０５、ＤＦＥ回路５１０、及びＬ１機能５２０を備えている。Ｌ１機能５２０は、トランスポートチャンネル５８１の情報に基づいて動作する（図４及び５も参照）。Ｌ２機能の時間重要部分は、Ｌ２機能部分５３０に配置され、そしてＬ２機能の残りの部分は、Ｌ２機能部分５４０に配置される。ＢＢ回路５８０は、Ｌ２機能５５０（両部分５３０及び５４０）、Ｌ３機能５６０、及びトランスポート機能５７０を含む。Ｌ３機能５６０は、例えば、ＩＰ（インターネットプロトコル）、ＵＤＰ（ユーザデータグラムプロトコル）、及びＧＴＰ（ＧＰＲＳトンネルプロトコル）を含む（ＧＰＲＳは、一般的な無線パケットサービスを表わす）。Ｌ３機能５６０は、ＵＥに向かうＲＲＣシグナリング及びＥＰＣに向かうＳ１ＡＰシグナリングを実行する。トランスポート機能５７０は、Ｓ１及びＸ２インターフェイスに対して物理的及び論理的リンクを取り扱う。トランスポートは、ＥＰＣに向かうインターフェイスの下位レイヤプロトコル（典型的に、ＩＰ、ＩＰｓｅｃ、Ｅｔｈｅｒｎｅｔ（登録商標））を具現化する。アクセスコントローラ１２は、Ｌ２機能部分５４０、Ｌ３機能５６０、及びトランスポート機能５７０を含む。Ｌ２機能部分５４０は、無線ベアラ５８２を経てＬ３機能５６０とインターフェイスする。アクセスポイント１３０及びアクセスコントローラ１２は、パケット信号５８３を使用して動作するインターフェイス５５５を経て通信する。インターフェイス５５５は、図１９に示すリンク１５を経て搬送される。インターフェイス５５５は、例えば、Ｅｔｈｅｒｎｅｔ（登録商標）インターフェイスのような物理的インターフェイスであり、そして物理的インターフェイスは、銅／ワイヤレス／光学的リンク１５に結合される。即ち、インターフェイス５５５は、銅リンク１５に結合されたワイヤードインターフェイス、ワイヤレスリンク１５をなすワイヤレスインターフェイス、又は光学的リンク１５に結合された光学的インターフェイスである。又、インターフェイス５５５は、例えば、Ｅｔｈｅｒｎｅｔ（登録商標）プロトコル又は他のプロトコルを経て通信を行えるソフトウェアインターフェイスを含むと共に、Ｅｔｈｅｒｎｅｔ（登録商標）プロトコル又は他のプロトコルに適合するメッセージング形式を含む。
【００３６】
更に、ベースバンド機能の部分は、アクセスポイント１３０のＤＦＥ回路５１０と同じ位置にあってそれに合併されたときに最適化される。その一例は、デジタルプリディストーションである。
【００３７】
アクセスコントローラは、Ｌ３機能５６０と、Ｌ２機能５５０の非時間重要部分５４０とを合体している。プール（即ち、多数のアクセスコントローラ１２の）に編成されて、アクセスコントローラ１２は、Ｃ−ＲＡＮアーキテクチャーにおける処理コアとなる。ＬＴＥ−アドバンスト特徴をサポートするための効率的負荷バランス、欠陥許容及びアップグレード容易性は、アクセスコントローラプールにおいて中心的に実現される。更に、多数のアクセスポイント１３０を見ることのできるアクセスコントローラ１２において整合型無線リソース管理及びシステム規模の干渉回避を具現化することができる。
【００３８】
ここに提案する新規なインターフェイスの一例は、典型的に、２０ＭＨｚ  ２×２  ＭＩＭＯ  ＦＤＤ−ＬＴＥシステムに対して（一例として）１５０Ｍｂｐｓ（メガビット／秒）のスループットを要求し、これは、既存のシステムで要求される３Ｇｂｐｓより低い大きさである。インターフェイス５５５を経て情報を搬送するために、アクセスポイント１３０とアクセスコントローラ１２０との間に銅又はワイヤレスバックホールリンク１５（図１０を参照）を使用することができる。又、光学的インターフェイスを使用する必要がなくても、バックホールリンク１５は、光ファイバのような光学的リンクでもよい。
【００３９】
アクセスポイント１３０とアクセスコントローラ１２を分割する厳密な線は、レイテンシー、具現化の複雑さ、セキュリティ、及び標準プロトコルの利用性、等の設計上のトレードオフに依存する。
【００４０】
以下の４つの配備は、考えられる配備の例で、各々、利点がある。レイヤ１及び２の高レベルブロック図で、機能的エレメントと、４つの規範的配備シナリオに対する機能的エレメント間の規範的分割とを示す図である
【００４１】
配備Ａ（インターフェイス５５５に対応する線１１１０−１で示す）：
【００４２】
Ｌ２機能部分５３０におけるアクセスポイント１３０は、次のものを含む。
−ダウンリンク及びアップリンクＲＬＣプロトコル及びそれらの機能６１５、６２０（各々）、並びにダウンリンク及びアップリンクＭＡＣプロトコル及びそれらの機能６２５、６３０（各々）；及び
−ダウンリンク及びアップリンクパケットスケジューラ６３５、６４０（各々）。
【００４３】
Ｌ２機能部分５４０におけるアクセスコントローラ１２は、次のものを含む。ＰＤＣＰプロトコル及びそれに対応する機能６０５、６１０（各々）。
【００４４】
この配備に対する利点は、次のものを含むが、それに限定されない。
−レイテンシーが重要な全ての処理は、アクセスポイント１３０に配備される。
−配備は、３ＧＰＰプロトコル境界をたどる。
−エアインターフェイス暗号化は、リモートノード（即ち、アクセスポイント１３０）において行われ、アクセスポイント１３０とアクセスコントローラ１２との間のインターフェイスをＩＰｓｅｃで保護することは必須でないことを意味する。
【００４５】
配備Ｂ（インターフェイス５５５に対応する線１１１０−２で示す）：
【００４６】
Ｌ２機能部分５３０におけるアクセスポイント１３０は、次のものを含む。
−ダウンリンクＲＬＣプロトコル及びそれに対応する機能６１５、並びにアップリンクＭＡＣプロトコル及びそれに対応する機能６２５；及び
−ダウンリンク及びアップリンクパケットスケジューラ６３５、６４０（各々）、並びにそれに対応する機能。
【００４７】
Ｌ２機能部分５４０におけるアクセスコントローラ１２は、次のものを含む。
−ＰＤＣＰプロトコル及びそれに対応する機能６０５、６１０；及び
−アップリンクＲＬＣプロトコル及びそれに対応する機能６２０、並びにアップリンクＭＡＣプロトコル及びそれに対応する機能６３０。
【００４８】
この配備に対する利点は、次のものを含むが、それに限定されない。
−レイテンシーが重要な全ての処理は、アクセスポイント１３０に配備される。
−アクセスコントローラ１２に配備された機能が最大となる。
−エアインターフェイス暗号化は、リモートノード（即ち、アクセスポイント１３０）において行われ、アクセスポイント１３０とアクセスコントローラ１２との間のインターフェイスをＩＰｓｅｃで保護することは必須でないことを意味する。
【００４９】
配備Ｃ（インターフェイス５５５に対応する線１１１０−３で示す）：
【００５０】
Ｌ２機能部分５３０におけるアクセスポイント１３０は、次のものを含む。
−ダウンリンク及びアップリンクＭＡＣプロトコル及びそれに対応する機能６２５、６３０（各々）；及び
−ダウンリンク及びアップリンクパケットスケジューラ６３５、６４０（各々）、及びそれに対応する機能。
【００５１】
Ｌ２機能部分５４０におけるアクセスコントローラ１２は、次のものを含む。
−ＰＤＣＰプロトコル及びそれに対応する機能６０５、６１０；及び
−ダウンリンク及びアップリンクＲＬＣプロトコル並びにそれに対応する機能６１５、６２０。
【００５２】
この配備に対する利点は、次のものを含むが、それに限定されない。
−配備は、３ＧＰＰプロトコル境界をたどる。
−エアインターフェイス暗号化は、リモートノード（即ち、アクセスポイント１３０）において行われ、アクセスポイント１３０とアクセスコントローラ１２との間のインターフェイスをＩＰｓｅｃで保護することは必須でないことを意味する。
【００５３】
配備Ｄ（インターフェイス５５５に対応する線１１１０−４で示す）：
【００５４】
Ｌ２機能部分５３０におけるアクセスポイント１３０は、次のものを含む。
−ＨＡＲＱ及びマルチプレクシング及びそれに対応する機能６２５、６３０を含むと共に、リアルタイムパケットスケジューラ６３５−１、６４０−１を一部分として含むＭＡＣの下部。
【００５５】
Ｌ２機能部分５４０におけるアクセスコントローラ１２は、次のものを含む。
−ＰＤＣＰプロトコル及びそれに対応する機能６０５、６１０；
−ダウンリンク及びアップリンクＲＬＣプロトコル並びにそれに対応する機能６１５、６２０；及び
−アクセスポイント１３０内のリアルタイムパケットスケジューラ６３５−１及び６４０−１のスケジューリングポリシーを発生するプリスケジューラ６３５−２、６４０−２を含むＭＡＣの上部。即ち、実際のスケジューリングは、リアルタイムパケットスケジューラ６３５−１、６４０−１により実行され、そしてスケジューリングポリシーは、プリスケジューラ６３５−２、６４０−２により発生される。プリスケジューラ６３５−２、６４０−２は、スケジューリングポリシーを生成し、そしてそのスケジューリングポリシーをリアルタイムパケットスケジューラ６３５−１及び６４０−１へ通信する。その間に、アクセスポイントのリアルタイムパケットスケジューラ６３５−１及び６４０−３は、そのようなスケジューリングポリシーに基づいてスケジューリングを実施する。
【００５６】
この配備に対する利点は、次のものを含むが、それに限定されない。
−アクセスコントローラ１２のプリスケジューラ６３５−２、６４０−２は、隣接セルの情報、ＣｏＭＰのキーイネーブラーに基づいて最適化を行うことができる。この高レベルの最適化は、リアルタイム処理を必要としないが、コンピューティングパワーの大きなプールを要求し、従って、アクセスコントローラ１２に良好に適合する。
−エアインターフェイス暗号化は、アクセスコントローラ１２において行われ、アクセスポイント１３０とアクセスコントローラ１２との間のインターフェイスをＩＰｓｅｃで保護することは必須でないことを意味する。
【００５７】
図１１に示す種々の機能は、典型的に、コンピュータインストラクション（例えば、ＰＲＯＧ１３０Ｃ、１２Ｃ）を実行する１つ以上のプロセッサ（例えば、アクセスポイント１３０における１つ以上のＤＰ１３０Ａ又はアクセスコントローラ１２における１つ以上のＤＰ１２Ａ）を含む回路により実行される。例えば、ＬＴＥ  ｅＮＢのＬ２レイヤは、典型的に、ＤＳＰ（デジタル信号プロセッサ）及びＣＰＵ（中央処理ユニット）の組み合わせを経て具現化される。１つの特定の具現化では、ＭＡＣ、ＲＬＣ及びＰＤＣＰは、テキサスインスツルーメント社のＤＳＰ（又はＤＳＰプール）を使用して具現化される。幾つかの売主は、（ＰＲＯＧ１３０Ｃ、１２Ｃとして）リアルタイムオペレーティングシステムを又は（ＰＲＯＧ１３０Ｃ、１２Ｃとして）簡単なエグゼクティブをもつジェネリックなＣＰＵ（典型的にマルチコア）においてＭＡＣ、ＲＬＣ及びＰＤＣＰを具現化する。１つ以上のプロセッサの使用とは別に又はそれに加えて、集積回路のようなハードウェアが使用されてもよい。
【００５８】
ＭＡＣ機能６２５、６３０は、次の機能を含むが、それに限定されないことに注意されたい（３ＧＰＰ  ＴＳ  ３６．００、第６．１章、特に、第６．１．１章を参照）。
論理的チャンネルとトランスポートチャンネルとの間のマッピング：
−トランスポートチャンネルの物理的レイヤへ／から導出されたトランスポートブロック（ＴＢ）への／からの１つ又は異なる論理的チャンネルに属するＭＡＣ  ＳＤＵのマルチプレクシング／デマルチプレクシング；
−スケジューリング情報の報告；
−ＨＡＲＱによるエラー修正；
−１つのＵＥの論理的チャンネル間のプライオリティの取り扱い；
−動的スケジューリングによるＵＥ間のプライオリティの取り扱い；
−ＭＢＭＳサービス識別；
−トランスポートフォーマットの選択；及び
−パッディング。
【００５９】
ＲＬＣ機能６１５、６２０は、次の機能を含むが、それに限定されない（３ＧＰＰ  ＴＸ  ３６．００、第６．２章、特に、第６．２．１章を参照）。
−上位レイヤＰＤＵの転送；
−ＡＲＱによるエラー修正（ＡＭデータ転送のみについて）；
−ＲＬＣ  ＳＤＵの連結、セグメント化及び再アッセンブル（ＵＭ及びＡＭデータ転送のみについて）；
−ＲＬＣデータＰＤＵの再セグメント化（ＡＭデータ転送のみについて）；
−ＲＬＣデータＰＤＵの再順序付け（ＵＭ及びＡＭデータ転送のみについて）；
−複写の検出（ＵＭ及びＡＭデータ転送のみについて）；
−プロトコルエラーの検出（ＡＭデータ転送のみについて）；
−ＲＬＣ  ＳＤＵ破棄（ＵＭ及びＡＭデータ転送のみについて）；及び
−ＲＬＣ再確立。
【００６０】
ＰＤＣＰ機能６０５、６１０は、次の機能を含むが、それに限定されない（３ＧＰＰ  ＴＸ  ３６．００、第６．３章、特に、第６．３．１章を参照）。
ユーザプレーンについて：
−ヘッダ圧縮及び解凍：ＲＯＨＣのみ；
−ユーザデータの転送；
−ＲＬＣ  ＡＭのＰＤＣＰ再確立手順における上位レイヤＰＤＵの順序通りの分配；
−ＲＬＣ  ＡＭのＰＤＣＰ再確立手順における下位レイヤＳＤＵの複写検出；
−ＲＬＣ  ＡＭのハンドオーバーにおけるＰＤＣＰ  ＳＤＵの再送信；
−暗号化及び解読；及び
−アップリンクにおけるタイマーベースのＳＤＵ破棄。
コントロールプレーンについて：
−暗号化及び完全性保護；及び
−コントロールプレーンデータの転送。
【００６１】
以上の例は、主として、ユーザプレーン機能に関連している。ユーザプレーン機能に加えて、ｅＮＢ１３４及びそのアクセスコントローラ１２は、コントロールプレーン機能も実施する。図１２を参照されたい。この例は、前記配備Ａを使用している。ＲＲＣ機能１２１０は、アクセスコントローラ１２の一部分である。ＲＲＣ機能１２１０は、次の機能を含むが、それに限定されない（３ＧＰＰ  ＴＸ  ３６．００の第４．３．２章及び第７章を参照）。
−ブロードキャスト；
−ページング；
−ＲＲＣ接続マネージメント；
−ＲＢコントロール；
−移動機能；及び
−ＵＥ測定報告及びコントロール。
【００６２】
本発明の規範的な効果は、次の非限定例の１つ以上を含む。
【００６３】
・アクセスポイントとアクセスコントローラとの間のバックホール要件を著しく緩和：例えば、１５０Ｍｂｐｓ対３Ｇｂｐｓ。
・ＬＴＥベースバンド処理のための厳格なレイテンシー要件を保証。
・ハイブリッド集中型及び分散型アーキテクチャーにより、ＣｏＭＰ及びＳＯＮ（自己編成ネットワーク）のようなＣ−ＲＡＮのサポート及び多数のＬＴＥ−アドバンスト特徴を最適化。
・干渉及び無線リソース管理、リモートソフトウェアアップグレード、及び特徴発表のような、多数のＬＴＥアクセスポイントの集中型管理を簡単化。
【００６４】
図１３は、アクセスポイントにより実行される論理フロー図で、本発明の規範的な実施形態による方法の動作、及びコンピュータ読み取り可能な媒体で実施されるコンピュータプログラムインストラクションの実行結果を示す。ブロック１３１０において、アクセスポイント１３０は、ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換することを実行する。その変換は、少なくとも物理的レイヤに対する動作を実行することを含む。ブロック１３２０において、アクセスポイント１３０は、アップリンクでは、トランスポートチャンネルの情報に基づいてデータリンクレイヤのための機能を実行して、パケット信号を決定し、そのパケット信号を、インターフェイスを経てアクセスコントローラへ送信する。又、アクセスポイントは、ダウンリンクでは、インターフェイスを経て受信したパケット信号に基づいてデータリンクレイヤのための機能を実行して、トランスポートチャンネルの情報を生成する。ダウンリンクの機能は、ダウンリンクパケットスケジューリング機能及びダウンリンクメディアアクセスコントロール機能を含み、そしてアップリンクの機能は、アップリンクパケットスケジューリング機能を含む。アップリンク及びダウンリンクに対して実行される機能は、トランスポートチャンネルと無線ベアラとの間で情報を変換するためにデータリンクレイヤによって実行される機能の全部ではないが、その幾つかである。
【００６５】
図１４は、アクセスコントローラにより実行される論理フロー図で、本発明の規範的な実施形態による方法の動作、及びコンピュータ読み取り可能な媒体上で実施されるコンピュータプログラムインストラクションの実行結果を示す。ブロック１４１０において、アクセスコントローラ１２は、ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能（例えば、上述したＲＲＣ機能）を実行する。データリンクレイヤのためのダウンリンクの機能は、パケットデータコントロールプロトコル機能を実行することを含む。ブロック１４２０において、アクセスコントローラは、アップリンクでは、インターフェイスを経てパケット信号を受信し、その受信したパケット信号に基づいてデータリンクレイヤのための機能を実行して、無線ベアラの情報を生成し、そしてコントロールプレーン機能（例えば、上述したＲＲＣ機能）を実行する。データリンクレイヤのためのアップリンクの機能は、パケットデータコントロールプロトコル機能を実行することを含む。データリンクレイヤのためにアップリンク及びダウンリンクに対して実行される機能は、トランスポートチャンネルと無線ベアラとの間で情報を変換するためにデータリンクレイヤによって実行される機能の全部ではないが、その幾つかである。
【００６６】
付加的な規範的実施形態において、装置は、ダウンリンクでは、１つ以上のユーザ装置から受信された高周波信号を、トランスポートチャンネルにおける対応情報へと変換し、そしてアップリンクでは、トランスポートチャンネルの情報を、１つ以上のユーザ装置へ送信するのに適した高周波信号へと変換するための手段を備え、この変換手段は、少なくとも物理的レイヤに対する動作を実行する手段を含み；更に、アップリンクでは、トランスポートチャンネルの情報に基づいてデータリンクレイヤのための機能を実行して、パケット信号を決定し、そのパケット信号を、インターフェイスを経てアクセスコントローラへ送信するための手段と、ダウンリンクでは、インターフェイスを経て受信したパケット信号に基づいてデータリンクレイヤのための機能を実行して、トランスポートチャンネルの情報を生成するための手段とを備え、ダウンリンクの機能を実行するための手段は、ダウンリンクパケットスケジューリング機能を実行する手段、及びダウンリンクメディアアクセスコントロール機能を実行する手段を含み、そしてアップリンクの機能を実行するための手段は、アップリンクパケットスケジューリング機能を実行する手段を含み、アップリンク及びダウンリンクに対して実行される機能は、トランスポートチャンネルと無線ベアラとの間で情報を変換するためにデータリンクレイヤによって実行される機能の全部ではないが、その幾つかである。
【００６７】
付加的な規範的実施形態において、装置は、ダウンリンクでは、無線ベアラの情報を受信する手段、無線ベアラの情報に基づいてデータリンクレイヤのための機能を実行して、パケット信号を決定する手段、そのパケット信号を、インターフェイスを経てアクセスポイントへ送信する手段、及びコントロールプレーン機能を実行する手段を備え、データリンクレイヤのためのダウンリンクの機能を実行する手段は、パケットデータコントロールプロトコル機能を実行する手段を含み；更に、アップリンクでは、インターフェイスを経てパケット信号を受信する手段、その受信したパケット信号に基づいてデータリンクレイヤのための機能を実行して、無線ベアラの情報を生成する手段、及びコントロールプレーン機能を実行する手段を備え、データリンクレイヤのためのアップリンクの機能を実行する手段は、パケットデータコントロールプロトコル機能を実行する手段を含み、データリンクレイヤのためにアップリンク及びダウンリンクに対して実行される機能は、トランスポートチャンネルと無線ベアラとの間で情報を変換するためにデータリンクレイヤによって実行される機能の全部ではないが、その幾つかである。
【００６８】
本発明の実施形態は、ソフトウェア（１つ以上のプロセッサで実行される）、ハードウェア、或いはソフトウェア及びハードウェアの組み合わせで具現化される。規範的な実施形態において、ソフトウェア（例えば、アプリケーションロジック、インストラクションセット）は、種々の従来のコンピュータ読み取り可能な媒体のいずれか１つに維持される。本書に関して、「コンピュータ読み取り可能な媒体」とは、コンピュータのようなインストラクション実行システム、装置又はデバイスにより使用されるか又はそれに関連して使用されるインストラクションを収容し、記憶し、通信し、伝播し、又はトランスポートすることのできる任意の媒体又は手段であり、コンピュータの例は、例えば、図９に示して説明した。又、コンピュータ読み取り可能な媒体は、コンピュータのようなシステム、装置又はデバイスにより使用されるか又はそれに関連して使用されるインストラクションを収容し又は記憶することのできる任意の媒体又は手段であるコンピュータ読み取り可能な記憶媒体（例えば、デバイス）を含む。
【００６９】
ここに述べた異なる機能は、要望があれば、互いに異なる順序で及び／又は同時に実行されてもよい。更に、要望があれば、上述した機能の１つ以上は、任意のものでもよく、又は結合されてもよい。
【００７０】
本発明の種々の態様は、独立請求項に記載するが、本発明の他の態様は、請求の範囲に明確に記載された組み合わせだけでなく、前記実施形態及び／又は従属請求項からの特徴と独立請求項の特徴との他の組み合わせも包含する。
【００７１】
以上、本発明の規範的な実施形態を説明したが、本発明は、それらの実施形態に限定されないことに注意されたい。むしろ、特許請求の範囲に述べる本発明の範囲から逸脱することなく多数の変更や修正がなされ得る。
【符号の説明】
【００７２】
１０：装置（ＵＥ）
１０Ａ：データプロセッサ（ＤＰ）
１０Ｂ：メモリ（ＭＥＭ）
１０Ｃ：コンピュータインストラクションのプログラム（ＰＲＯＧ）
１２：アクセスコントローラ
１２Ａ：データプロセッサ（ＤＰ）
１２Ｂ：メモリ（ＭＥＭ）
１２Ｃ：コンピュータインストラクションのプログラム（ＰＲＯＧ）
１３：データ及びコントロール経路
１４：ＮＣＥ／ＭＭＥ／ＳＧＷ
１４Ａ：データプロセッサ（ＤＰ）
１４Ｂ：メモリ（ＭＥＭ）
１４Ｃ：コンピュータインストラクションのプログラム（ＰＲＯＧ）
１５：リンク
２５：リンク
３５：ワイヤレスリンク
８５：データ通信ネットワーク
９０：ワイヤレスネットワーク
１３０：アクセスポイント
１３０Ａ：データプロセッサ（ＤＰ）
１３０Ｂ：メモリ（ＭＥＭ）
１３０Ｃ：コンピュータインストラクションのプログラム（ＰＲＯＧ）
１３０Ｅ：アンテナ
１３４：ｅＮＢ
５０５：ＡＦＥ回路
５１０：ＤＦＥ回路
５２０：Ｌ１機能
５３０、５４０：Ｌ２機能の部分
５３５：ＲＦ回路
５３６：ＲＦ信号
５５０：Ｌ２機能
５６０：Ｌ３機能
５７０：トランスポート機能
５８０：ＢＢ回路
５８１：トランスポートチャンネル
５８２：無線ベアラ
５８３：パケット信号
【図１】
2014515584.tif 000003
【図２】
2014515584.tif 000004
【図３】
2014515584.tif 000005
【図４】
2014515584.tif 000006
【図５】
2014515584.tif 000007
【図６】
2014515584.tif 000008
【図７】
2014515584.tif 000009
【図８】
2014515584.tif 000010
【図９】
2014515584.tif 000011
【図１０】
2014515584.tif 000012
【図１１】
2014515584.tif 000013
【図１２】
2014515584.tif 000014
【図１３】
2014515584.tif 000015
【図１４】
2014515584.tif 000016
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
アクセスコントローラに結合されたインターフェイスと、
１つ以上のプロセッサと、
コンピュータプログラムコードを含む１つ以上のメモリと、
を備えた装置において、前記１つ以上のメモリ及びコンピュータプログラムコードは、前記１つ以上のプロセッサとで、前記装置に、少なくとも次のことを実行させるように構成され、即ち、
アップリンクでは、１つ以上のユーザ装置から受信された高周波信号を、トランスポートチャンネルにおける対応情報へと変換し、且つアップリンクでは、トランスポートチャンネルの情報を、１つ以上のユーザ装置へ送信するのに適した高周波信号へと変換し、その変換は、少なくとも物理的レイヤに対する動作を実行することを含み、及び
ダウンリンクでは、トランスポートチャンネルの情報に基づいてデータリンクレイヤのための機能を実行して、パケット信号を決定し、そのパケット信号を、インターフェイスを経てアクセスコントローラへ送信し、且つダウンリンクでは、インターフェイスを経て受信したパケット信号に基づいてデータリンクレイヤのための機能を実行して、トランスポートチャンネルの情報を生成し、ダウンリンクにおける機能は、ダウンリンクパケットスケジューリング機能及びダウンリンクメディアアクセスコントロール機能を含み、そしてアップリンクにおける機能は、アップリンクパケットスケジューリング機能を含み、アップリンク及びダウンリンクに対して実行される機能は、トランスポートチャンネルと無線ベアラとの間で情報を変換するためにデータリンクレイヤによって実行される機能の全部ではなく、その幾つかであり、且つ
前記装置はアクセスポイントであり、そのアクセスポイントは前記インターフェイスにより前記アクセスコントローラに結合される、装置。
【請求項２】
前記ダウンリンクパケットスケジューリング機能は、インターフェイスを経て１つ以上のダウンリンクスケジューリングポリシーを受け取るリアルタイムダウンリンクパケットスケジューリング機能を含み、そして前記アップリンクパケットスケジューリング機能は、インターフェイスを経て１つ以上のアップリンクスケジューリングポリシーを受け取るリアルタイムアップリンクパケットスケジューリング機能を含む、請求項１に記載の装置。
【請求項３】
前記アップリンクにおける機能は、更に、メディアアクセスコントロール機能を含む、請求項１又は２に記載の装置。
【請求項４】
前記ダウンリンクにおける機能は、更に、無線リンクコントロール機能及びプリスケジューラ機能を含み、そして前記アップリンクにおける機能は、更に、プリスケジューラ機能を含む、請求項１、２又は３に記載の装置。
【請求項５】
前記アップリンクにおける機能は、更に、メディアアクセスコントロール機能及び無線リンクコントロール機能を含む、請求項４に記載の装置。
【請求項６】
前記インターフェイスは、前記アクセスコントローラに結合された銅リンクに結合されたワイヤードインターフェイス、前記アクセスコントローラへのワイヤレスリンクを与えるワイヤレスインターフェイス、又は前記アクセスコントローラに結合された光学リンクを与える光学的インターフェイスの１つを含む、請求項１、２、３、４又は５に記載の装置。
【請求項７】
前記インターフェイスは、Ｅｔｈｅｒｎｅｔインターフェイスを含む、請求項６に記載の装置。
【請求項８】
アップリンクリンクでは、１つ以上のユーザ装置から受信された高周波信号を、トランスポートチャンネルにおける対応情報へと変換し、且つアップリンクでは、トランスポートチャンネルの情報を、１つ以上のユーザ装置へ送信するのに適した高周波信号へと変換し、その変換は、少なくとも物理的レイヤに対する動作を実行することを含み、及び
ダウンリンクでは、トランスポートチャンネルの情報に基づいてデータリンクレイヤのための機能を実行して、パケット信号を決定し、そのパケット信号を、インターフェイスを経てアクセスコントローラへ送信し、且つダウンリンクでは、インターフェイスを経て受信したパケット信号に基づいてデータリンクレイヤのための機能を実行して、トランスポートチャンネルの情報を生成し、ダウンリンクにおける機能は、ダウンリンクパケットスケジューリング機能及びダウンリンクメディアアクセスコントロール機能を含み、そしてアップリンクにおける機能は、アップリンクパケットスケジューリング機能を含み、更に、アップリンク及びダウンリンクに対して実行される機能は、トランスポートチャンネルと無線ベアラとの間で情報を変換するためにデータリンクレイヤにより実行される機能の全部ではなく、その幾つかであり、且つ
前記インターフェイスにより前記アクセスコントローラに結合されたアクセスポイントにより実行される方法。
【請求項９】
前記ダウンリンクパケットスケジューリング機能は、インターフェイスを経て１つ以上のダウンリンクスケジューリングポリシーを受け取るリアルタイムダウンリンクパケットスケジューリング機能を含み、且つ前記アップリンクパケットスケジューリング機能は、インターフェイスを経て１つ以上のアップリンクスケジューリングポリシーを受け取るリアルタイムアップリンクパケットスケジューリング機能を含む、請求項８に記載の方法。
【請求項１０】
前記アップリンクにおける機能は、更に、メディアアクセスコントロール機能を含む、請求項８又は９に記載の方法。
【請求項１１】
前記ダウンリンクにおける機能は、更に、無線リンクコントロール機能及びプリスケジューラ機能を含み、そして前記アップリンクにおける機能は、更に、プリスケジューラ機能を含む、請求項８、９又は１０に記載の方法。
【請求項１２】
前記アップリンクにおける機能は、更に、メディアアクセスコントロール機能及び無線リンクコントロール機能を含む、請求項１１に記載の方法。
【請求項１３】
前記インターフェイスは、前記アクセスコントローラに結合された銅リンクに結合されたワイヤードインターフェイス、前記アクセスコントローラへのワイヤレスリンクを与えるワイヤレスインターフェイス、又は前記アクセスコントローラに結合された光学リンクを与える光学的インターフェイスの１つを含む、請求項８、９、１０、１１又は１２に記載の方法。
【請求項１４】
前記インターフェイスは、Ｅｔｈｅｒｎｅｔインターフェイスを含む、請求項１３に記載の方法。
【請求項１５】
コンピュータに使用するために実施されたコンピュータプログラムコードを保持するコンピュータ読み取り可能な媒体を備え、そのコンピュータプログラムコードは、請求項８から１４のいずれかに記載の方法のいずれかの動作を実行するためのコードを含む、コンピュータプログラム製品。
【請求項１６】
アクセスポイントに結合されたインターフェイスと、
１つ以上のプロセッサと、
コンピュータプログラムコードを含む１つ以上のメモリと、
を備えた装置において、前記１つ以上のメモリ及びコンピュータプログラムコードは、前記１つ以上のプロセッサとで、前記装置に、少なくとも次のことを実行させるように構成され、即ち、
ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行し、データリンクレイヤのためのダウンリンクにおける機能は、パケットデータコントロールプロトコル機能を実行することを含み、及び
アップリンクでは、インターフェイスを経てパケット信号を受信し、その受信したパケット信号に基づいてデータリンクレイヤのための機能を実行して、無線ベアラの情報を生成し、そしてコントロールプレーン機能を実行し、データリンクレイヤのためのアップリンクにおける機能は、パケットデータコントロールプロトコル機能を実行することを含み、更に、
データリンクレイヤのためにアップリンク及びダウンリンクに対して実行される機能は、トランスポートチャンネルと無線ベアラとの間で情報を変換するためにデータリンクレイヤによって実行される機能の全部ではなく、その幾つかであり、且つ
前記装置はアクセスポイントであり、そのアクセスポイントは前記インターフェイスにより前記アクセスコントローラに結合される、装置。
【請求項１７】
前記データリンクレイヤのためのアップリンクにおける機能は、更に、無線リンクコントロール機能及びメディアアクセスコントロール機能を含む、請求項１６に記載の装置。
【請求項１８】
前記データリンクレイヤのためのダウンリンクにおける機能は、更に、無線リンクコントロール機能を含み、そして前記データリンクレイヤのためのアップリンクにおける機能は、更に、無線リンクコントロール機能を含む、請求項１６又は１７に記載の装置。
【請求項１９】
前記データリンクレイヤのためのアップリンクにおける機能は、更に、メディアアクセスコントロール機能と、アップリンクにおいてアクセスポイントで動作する第１のリアルタイムパケットスケジューラに対して１つ以上の第１のスケジューリングポリシーを決定し、そしてその１つ以上の第１のスケジューリングポリシーを、インターフェイスを経てリアルタイムパケットスケジューラへ転送する第１のプリスケジューラとを含み、そして前記データリンクレイヤのためのダウンリンクにおける機能は、更に、ダウンリンクにおいてアクセスポイントで動作する第２のリアルタイムパケットスケジューラ機能に対して１つ以上の第２のスケジューリングポリシーを決定し、そしてその１つ以上の第２のスケジューリングポリシーを、インターフェイスを経て第２のリアルタイムパケットスケジューラへ転送する第２のプリスケジューラを含む、請求項１８に記載の装置。
【請求項２０】
前記インターフェイスは、前記アクセスポイントに結合された銅リンクに結合されたワイヤードインターフェイス、前記アクセスポイントへのワイヤレスリンクを与えるワイヤレスインターフェイス、又は前記アクセスポイントに結合された光学リンクに結合された光学的インターフェイスの１つを含む、請求項１６、１７、１８又は１９に記載の装置。
【請求項２１】
前記インターフェイスは、Ｅｔｈｅｒｎｅｔインターフェイスを含む、請求項２０に記載の装置。
【請求項２２】
ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行し、データリンクレイヤのためのダウンリンクにおける機能は、パケットデータコントロールプロトコル機能を実行することを含み、及び
アップリンクでは、インターフェイスを経てパケット信号を受信し、その受信したパケット信号に基づきデータリンクレイヤのための機能を実行して、無線ベアラの情報を生成し、そしてコントロールプレーン機能を実行し、データリンクレイヤのためのアップリンクにおける機能は、パケットデータコントロールプロトコル機能を実行することを含み、
データリンクレイヤのためにアップリンク及びダウンリンクに対して実行される機能は、トランスポートチャンネルと無線ベアラとの間で情報を変換するためにデータリンクレイヤによって実行される機能の全部ではなく、その幾つかである、方法。
【請求項２３】
前記データリンクレイヤのためのアップリンクにおける機能は、更に、無線リンクコントロール機能及びメディアアクセスコントロール機能を含む、請求項２２に記載の方法。
【請求項２４】
前記データリンクレイヤのためのダウンリンクにおける機能は、更に、無線リンクコントロール機能を含み、そして前記データリンクレイヤのためのアップリンクにおける機能は、更に、無線リンクコントロール機能を含む、請求項２２又は２３に記載の方法。
【請求項２５】
前記データリンクレイヤのためのアップリンクにおける機能は、更に、メディアアクセスコントロール機能と、アップリンクにおいてアクセスポイントで動作する第１のリアルタイムパケットスケジューラに対して１つ以上の第１のスケジューリングポリシーを決定し、そしてその１つ以上の第１のスケジューリングポリシーを、インターフェイスを経てリアルタイムパケットスケジューラへ転送する第１のプリスケジューラとを含み、そして前記データリンクレイヤのためのダウンリンクにおける機能は、更に、ダウンリンクにおいてアクセスポイントで動作する第２のリアルタイムパケットスケジューラ機能に対して１つ以上の第２のスケジューリングポリシーを決定し、そしてその１つ以上の第２のスケジューリングポリシーを、インターフェイスを経て第２のリアルタイムパケットスケジューラへ転送する第２のプリスケジューラを含む、請求項２４に記載の方法。
【請求項２６】
前記インターフェイスは、前記アクセスポイントに結合された銅リンクに結合されたワイヤードインターフェイス、前記アクセスポイントへのワイヤレスリンクを与えるワイヤレスインターフェイス、又は前記アクセスポイントに結合された光学リンクに結合された光学的インターフェイスの１つを含む、請求項２２、２３、２４又は２５に記載の方法。
【請求項２７】
前記インターフェイスは、Ｅｔｈｅｒｎｅｔインターフェイスを含む、請求項２６に記載の方法。
【請求項２８】
コンピュータに使用するために実施されたコンピュータプログラムコードを保持するコンピュータ読み取り可能な媒体を備え、そのコンピュータプログラムコードは、請求項２２から２７のいずれかに記載の方法のいずれかの動作を実行するためのコードを含む、コンピュータプログラム製品。
【請求項２９】
アップリンクでは、１つ以上のユーザ装置から受信された高周波信号を、トランスポートチャンネルにおける対応情報へと変換し、且つアップリンクでは、トランスポートチャンネルの情報を、１つ以上のユーザ装置へ送信するのに適した高周波信号へと変換するための手段を備え、前記変換は、少なくとも物理的レイヤに対する動作を実行することを含み、及び
ダウンリンクでは、トランスポートチャンネルの情報に基づきデータリンクレイヤのための機能を実行して、パケット信号を決定し、そのパケット信号を、インターフェイスを経てアクセスコントローラへ送信し、且つダウンリンクでは、インターフェイスを経て受信したパケット信号に基づいてデータリンクレイヤのための機能を実行して、トランスポートチャンネルの情報を生成するための手段を備え、ダウンリンクにおける機能は、ダウンリンクパケットスケジューリング機能及びダウンリンクメディアアクセスコントロール機能を含み、そしてアップリンクにおける機能は、アップリンクパケットスケジューリング機能を含み、更に、アップリンク及びダウンリンクに対して実行される機能は、トランスポートチャンネルと無線ベアラとの間で情報を変換するためにデータリンクレイヤにより実行される機能の全部ではなく、その幾つかであり、且つ
装置はアクセスポイントであり、そのアクセスポイントは前記インターフェイスにより前記アクセスコントローラに結合される、装置。
【請求項３０】
前記ダウンリンクパケットスケジューリング機能は、インターフェイスを経て１つ以上のダウンリンクスケジューリングポリシーを受け取るリアルタイムダウンリンクパケットスケジューリング機能を含み、そして前記アップリンクパケットスケジューリング機能は、インターフェイスを経て１つ以上のアップリンクスケジューリングポリシーを受け取るリアルタイムアップリンクパケットスケジューリング機能を含む、請求項２９に記載の装置。
【請求項３１】
前記アップリンクにおける機能は、更に、メディアアクセスコントロール機能を含む、請求項２９又は３０に記載の装置。
【請求項３２】
前記ダウンリンクにおける機能は、更に、無線リンクコントロール機能及びプリスケジューラ機能を含み、そして前記アップリンクにおける機能は、更に、プリスケジューラ機能を含む、請求項２９、３０又は３１に記載の装置。
【請求項３３】
前記アップリンクにおける機能は、更に、メディアアクセスコントロール機能及び無線リンクコントロール機能を含む、請求項３２に記載の装置。
【請求項３４】
前記インターフェイスは、前記アクセスコントローラに結合された銅リンクに結合されたワイヤードインターフェイス、前記アクセスコントローラへのワイヤレスリンクを与えるワイヤレスインターフェイス、又は前記アクセスコントローラに結合された光学リンクを与える光学的インターフェイスの１つを含む、請求項２９、３０、３１、３２又は３３に記載の装置。
【請求項３５】
前記インターフェイスは、Ｅｔｈｅｒｎｅｔインターフェイスを含む、請求項３４に記載の装置。
【請求項３６】
ダウンリンクでは、無線ベアラの情報を受信し、無線ベアラの情報に基づいてデータリンクレイヤのための機能を実行して、パケット信号を決定し、そのパケット信号を、インターフェイスを経てアクセスポイントへ送信し、そしてコントロールプレーン機能を実行するための手段を備え、データリンクレイヤのためのダウンリンクにおける機能は、パケットデータコントロールプロトコル機能を実行することを含み、及び
アップリンクでは、インターフェイスを経てパケット信号を受信し、その受信したパケット信号に基づいてデータリンクレイヤのための機能を実行して、無線ベアラの情報を生成し、そしてコントロールプレーン機能を実行するための手段を備え、データリンクレイヤのためのアップリンクにおける機能は、パケットデータコントロールプロトコル機能を実行することを含み、
データリンクレイヤのためにアップリンク及びダウンリンクに対して実行される機能は、トランスポートチャンネルと無線ベアラとの間で情報を変換するためにデータリンクレイヤによって実行される機能の全部ではなく、その幾つかであり、且つ
装置はアクセスポイントであり、そのアクセスポイントは前記インターフェイスにより前記アクセスコントローラに結合される、装置。
【請求項３７】
前記データリンクレイヤのためのアップリンクにおける機能は、更に、無線リンクコントロール機能及びメディアアクセスコントロール機能を含む、請求項３６に記載の装置。
【請求項３８】
前記データリンクレイヤのためのダウンリンクにおける機能は、更に、無線リンクコントロール機能を含み、そして前記データリンクレイヤのためのアップリンクにおける機能は、更に、無線リンクコントロール機能を含む、請求項３６又は３７に記載の装置。
【請求項３９】
前記データリンクレイヤのためのアップリンクにおける機能は、更に、メディアアクセスコントロール機能と、アップリンクにおいてアクセスポイントで動作する第１のリアルタイムパケットスケジューラに対して１つ以上の第１のスケジューリングポリシーを決定し、そしてその１つ以上の第１のスケジューリングポリシーを、インターフェイスを経てリアルタイムパケットスケジューラへ転送する第１のプリスケジューラとを含み、そして前記データリンクレイヤのためのダウンリンクにおける機能は、更に、ダウンリンクにおいてアクセスポイントで動作する第２のリアルタイムパケットスケジューラ機能に対して１つ以上の第２のスケジューリングポリシーを決定し、そしてその１つ以上の第２のスケジューリングポリシーを、インターフェイスを経て第２のリアルタイムパケットスケジューラへ転送する第２のプリスケジューラを含む、請求項３８に記載の装置。
【請求項４０】
前記インターフェイスは、前記アクセスポイントに結合された銅リンクに結合されたワイヤードインターフェイス、前記アクセスポイントへのワイヤレスリンクを与えるワイヤレスインターフェイス、又は前記アクセスポイントに結合された光学リンクに結合された光学的インターフェイスの１つを含む、請求項３６、３７、３８又は３９に記載の装置。
【請求項４１】
前記インターフェイスは、Ｅｔｈｅｒｎｅｔインターフェイスを含む、請求項４０に記載の装置。
【国際調査報告】
2014515584.tif 000017
2014515584.tif 000018